(57)【要約】【課題】照明装置の本体の側方に延出された耐火性を有する端子台取付部材の下面側に端子台を取付けるようにし、安全性の高い照明装置を提供することを目的とする。【解決手段】本発明は、光源１０を有する本体１と、この本体１の側方に延出された耐火性を有する端子台取付部材４と、この端子台取付部材４の下面側であって、当該端子台取付部材４の延出方向に向かって並設するように取付けられた電源線ＰＷが接続される端子台４１と、この端子台４１に接続された電源線ＰＷを保持する保持具４２とを備える埋込形照明装置である。【選択図】図１
2010129227.tif 000002
【特許請求の範囲】
【請求項１】
光源を有する本体と；
この本体の側方に延出された耐火性を有する端子台取付部材と；
この端子台取付部材の下面側であって、当該端子台取付部材の延出方向に向かって並設するように取付けられた電源線が接続される端子台と、この端子台に接続された電源線を保持する保持具と；
を具備することを特徴とする埋込形照明装置。
【請求項２】
前記端子台取付部材の下面側であって、前記端子台に対向し、端子台よりも前記本体側に設けられた遮蔽壁を具備することを特徴とする請求項１に記載の埋込形照明装置。
【請求項３】
前記本体の外周面には、装置を設置するために操作される取付部を有する係止手段が設けられており、この係止手段の１つの取付部は、前記端子台取付部材の下面側と対向する位置に配設されていることを特徴とする請求項１又は請求項２に記載の埋込形照明装置。
【発明の詳細な説明】
【技術分野】
【０００１】
本発明は、天井等に埋め込んで使用するのに適する埋込形照明装置に関する。
【背景技術】
【０００２】
この種、埋込形照明装置においては、光源に電力を供給するため、電源線が接続される端子台が設けられている。そして、この端子台と光源とがリード線等によって接続され、光源に電力が供給されるようになっている。従来、この端子台を照明装置の本体に直接取付けるようにしたり、本体内に収納するようにしたりするものが知られている（例えば、特許文献１参照）。
【特許文献１】特開２００６−１７２８９５号公報
【発明の開示】
【発明が解決しようとする課題】
【０００３】
しかしながら、上記従来のものにおいては、端子台に塵埃や水気が浸入し、短絡状態になり、また、接触不良等が生じると、これらに起因して端子台が過熱されて高温になり、特に、端子台が合成樹脂等で形成されている場合には、溶解又は発火し、ひいては延焼する事態に至る可能性がある。
【０００４】
本発明は、上記問題点に鑑みなされたもので、照明装置の本体の側方に延出された耐火性を有する端子台取付部材の下面側に端子台を取付けるようにし、安全性の高い埋込形照明装置を提供することを目的とする。
【課題を解決するための手段】
【０００５】
請求項１に記載の埋込形照明装置は、光源を有する本体と；この本体の側方に延出された耐火性を有する端子台取付部材と；この端子台取付部材の下面側であって、当該端子台取付部材の延出方向に向かって並設するように取付けられた電源線が接続される端子台と、この端子台に接続された電源線を保持する保持具と；を具備することを特徴とする。
【０００６】
本発明及び以下の発明において、特に指定しない限り用語の定義及び技術的意味は次による。埋込形照明装置は、天井面や壁面に埋め込まれて設置される例えば、ダウンライトや非常灯などの照明装置である。また、光源としては、ＬＥＤ、白熱電球、蛍光ランプ、高輝度放電ランプ等の適用が可能であり、格別その光源の種類は限定されるものではない。
【０００７】
請求項２に記載の埋込形照明装置は、請求項１に記載の埋込形照明装置において、前記端子台取付部材の下面側であって、前記端子台に対向し、端子台よりも前記本体側に設けられた遮蔽壁を具備することを特徴とする。
【０００８】
請求項３に記載の埋込形照明装置は、請求項１又は請求項２に記載の埋込形照明装置において、前記本体の外周面には、装置を設置するために操作される取付部を有する係止手段が設けられており、この係止手段の１つの取付部は、前記端子台取付部材の下面側と対向する位置に配設されていることを特徴とする。
【発明の効果】
【０００９】
請求項１に記載の発明によれば、端子台の過熱等に起因する延焼の事態を防止することができ、安全性の高い埋込形照明装置を提供することができる。さらに、端子台への塵埃等の侵入を抑制することができる。
【００１０】
請求項２に記載の発明によれば、請求項１に記載の発明の効果に加え、装置本体側への延焼を防止することができる。
【００１１】
請求項３に記載の発明によれば、請求項１又は請求項２に記載の発明の効果に加え、係止手段を操作したうえで、端子台取付部材の延出されている部分を視覚的に確認しながら設置作業を行うことができ、作業の効率化を図ることが可能となる。
【発明を実施するための最良の形態】
【００１２】
以下、本発明の実施形態に係る埋込形照明装置について図１乃至図５を参照して説明する。図１は、埋込形照明装置としてダウンライトを示す側面図、図２は、同分解斜視図、図３は、同一部を断面して示す側面図、図４は、同上面図、図５は、同底面図である。
【００１３】
図は、埋込形照明装置として埋込形のダウンライトを示している。ダウンライト本体１は、熱伝導性の筒状体２と、この筒状体２に取付けられた化粧枠３及び端子台取付部材４と、同じく筒状体２に取付けられ、光源である発光素子としてのＬＥＤ１０が実装された基板５と、筒状体２内に収納された電源回路基板２０を含む電源ユニット６と、反射体７及び反射体７の前方に配設された透光性カバー８とを備えている。
【００１４】
筒状体２は、アルミダイカスト製の熱伝導良好な材料で形成されており、その外面が白色のメラミン樹脂系塗料によって焼付塗装されている。なお、勿論、熱伝導性を担保できれば、他の材料で形成してもよい。筒状体２には、電源ユニット６が収納されており、電源ユニット６は、２枚の電源回路基板２０ａ、２０ｂと、この電源回路基板２０ａ、２０ｂを取付けるための基板取付板２０ｃとを備えている。基板取付板２０ｃは、一端が上方に折り曲げられた遮蔽壁２ｂを有している。電源回路基板２０ａ、２０ｂには、制御用ＩＣ、トランス、コンデンサ等の電気部品２１が実装されており、上方から筒状体２内に収納される。その後、上方から蓋２２が被せられ、ねじ止めされて、電源回路基板２０ａ、２０ｂは、筒状体２内へ密閉状態で収納される。このとき、遮蔽壁２ｂは、筒状体２の側壁に形成された切欠き部２ｄを閉塞するようになっている。電源回路基板２０は、ＬＥＤ１０が実装された基板５に電気的に接続されており、その電源回路によってＬＥＤ１０を点灯制御するものである。また、筒状体２の外面には、縦方向に延びる複数の放熱フィン２ａが形成されている。
【００１５】
化粧枠３は、ＡＢＳ樹脂で略傘状に形成され、末広がり状の開口端部には、環状のフランジ３ａが形成されており、他端部側は、筒状体２に取付けられている。この化粧枠３の外周面には、係止手段として取付け用トーションバネ９が対向するように一対装着されている。つまり、一対の取付け用トーションバネ９は、化粧枠３の外周面の周方向に１８０度離れた位置に取付けられている。この取付け用トーションバネ９は、先端に正面視、矩形状に折曲され、側面視、略への字状に折曲されて形成された取付部を有しており、化粧枠３の外周面から突出して対をなす支持壁９ａ間にコイル部が軸支され、図１の矢印Ａで示すように、常時は、内側方向に弾性力が付与されている。そして、取付部を操作することによって、取付け用トーションバネ９をコイル部を支軸として回動させることができるようになっている。
【００１６】
端子台取付部材４は、板金製であり、略長方形状をなし、筒状体２に取付けられる取着部４ａと、筒状体２の側方に延出する延出部４ｂとを有している。延出部４ｂの下面側には、合成樹脂によって成形された略箱状の端子台４１及び保持具４２が配設されている。この端子台４１及び保持具４２の配設にあたっては、保持具４２が延出部４ｂの縁部に配置され、端子台４１と保持具４２とが延出部４ｂの延出方向に向かって並設するようにねじ等の固定手段により取付けられている。換言すれば、端子台４１と保持具４２とは、延出部４ｂの延出方向の線上に並ぶように取付けられている。また、取着部４ａは、前記蓋２２の上に重ねられて筒状体２の上部にねじ止めされて取付けられている（図２参照）。
【００１７】
端子台取付部材４が筒状体２に取付けられた状態では、端子台４１と対向するように遮蔽壁２ｂが配置される。これによって、端子台４１の周囲において、端子台取付部材４の延出方向の空気の流れが遮断される。
【００１８】
端子台４１には、前記電源ユニット６がリード線Ｌ等によって接続されており、また、商用電源の電源線ＰＷが接続されるようになっている。したがって、電源ユニット６には、端子台４１を介して電力が供給される。さらに、保持具４２は、電源線ＰＷに張力がかかった場合に、端子台４１との接続部にその張力が及ばないように、電源線ＰＷを保持し、電源線ＰＷの張力止めとしての機能を有している。具体的には、詳細な図示は省略するが、保持具４２は、本体ピース４２ａと押えピース４２ｂとを備えており、本体ピース４２ａ側に配置された電源線ＰＷを、図１の矢印ａで示すように押えピース４２ｂを本体ピース４２ａ側にセットすることにより、押えピース４２ｂと本体ピース４２ａとの間に挟持して保持するようになっている。また、本体ピース４２ａの一端側には、膨出部４２ｃが形成されており（図４参照）、この膨出部４２ｃは、端子台４１が延出部４ｂの下面側に取付けられる際に、端子台４１と延出部４ｂの下面との間に挟み込まれるようになっている。なお、前記取付け用トーションバネ９の一方は、端子台取付部材４の下面側と対向する位置に配設されている。
【００１９】
基板５の表面側には、光源となるＬＥＤ１０が表面実装方式で複数個実装されている。基板５は、ガラスエポキシ樹脂の略円形の平板からなり、筒状体２の底壁２ｃへ密着するように取付けられている。したがって、筒状体２と熱的に結合されるようになっている。なお、基板２の材料は、絶縁材とする場合には、放熱特性が比較的良好で、耐久性に優れたセラミック材料又は合成樹脂材料を適用できる。また、金属製とする場合は、アルミニウム等の熱伝導性が良好で放熱性に優れた材料を適用するのが好ましい。
【００２０】
続いて、基板５の表面側には、白色のポリカーボネートやＡＳＡ樹脂等によって形成された反射体７が配設されている。反射体７は、ＬＥＤ１０から放射される光をＬＥＤ１０ごとに個別に配光制御し、効率的に照射する機能をなしている。
【００２１】
上記のように構成されたダウンライトの天井面への設置方法について図６を参照して説明する。図６は、設置方法を示す説明図である。まず、天井Ｃ裏に配線されている電源線ＰＷを端子台４１に接続し、保持具４２にて挟持する。この状態では、電源線ＰＷは、端子台取付部材４の延出部４ｂの下面に、その延出方向に沿って配線されている。次いで、両手で係止手段としての取付け用トーションバネ９の取付部を操作して、その弾性力に抗して図示矢印方向（図１における矢印Ｂ方向）に回動して保持するとともに、ダウンライト本体１を支えながら斜めに傾けて、端子台取付部材４の延出部４ｂ先端側を天井Ｃに形成された埋込穴Ｈに向けて、延出部４ｂから挿入する。ダウンライト本体１が埋込穴Ｈに挿入されるに伴い、手を離しダウンライト本体１を押し上げる。これにより、図１の破線で示すように、取付け用トーションバネ９が内側方向に復帰して天井Ｃ裏面に当接し、この弾性力によってダウンライト本体１が上方に引き上げられて、化粧枠３のフランジ３ａが埋込穴Ｈの周縁に圧接され、ダウンライト本体１が天井Ｃ面に設置される。
【００２２】
このような設置方法によれば、電源線ＰＷは、端子台取付部材４の延出部４ｂの延出方向に沿って配線されているので、延出方向、すなわち、埋込穴Ｈへの挿入方向に指向しており、埋込穴Ｈへの本体１の挿入作業が行い易いという利点を有する。また、取付け用トーションバネ９の一方は、端子台取付部材４の下面側と対向する位置に配設されているので、この取付け用トーションバネ９の取付部を回動操作したうえで、本体１を支え、端子台取付部材４の延出部４ｂを埋込穴Ｈに向けて、これを視覚的に確認しながら設置作業を行うことができ、作業の効率化を図ることが可能となる。また、ダウンライト本体１が設置された状態では、端子台端子台取付部材４が筒状体２の側方に突出しているため、重量バランスが崩れるが、端子台端子台取付部材４の下面側に配設した取付け用トーションバネ９で支えることができるため、安定して設置状態を維持することができる。
【００２３】
以上のような構成において、電源ユニット６に通電されると、点灯回路が動作して基板５に電力が供給され、ＬＥＤ１０が発光する。各ＬＥＤ１０から出射された光の多くは直接透光性カバー８を透過して前方に照射され、一部の光は反射体７の各反射面に反射されて配光制御され透光性カバー８を透過して前方に照射される。一方、これに伴いＬＥＤ１０から発生する熱は、主として基板５の裏面から筒状体２の底壁２ｃへ伝わり、さらに、外周の筒状体２の全体へ伝導され、その伝導過程での放熱を伴いながら放熱される。
【００２４】
次に、ダウンライトを使用中に、仮に、何らかの原因により端子台４１が過熱されて高温になり、溶解又は発火したとしても、端子台取付部材４は、板金製であり、耐火性を有しているので、延焼の事態を防止することができる。さらに、筒状体２の外周壁には、遮蔽壁２ｂが配設されているので端子台４１において接触不良等により発火状態となったとしても延焼を防止することができるとともに、端子台取付部材４の延出方向の空気の流れを遮断して発火の拡大を抑制することができる。このように遮蔽壁２ｂによって、電源ユニット６等への延焼を防ぐことができる。加えて、端子台４１は、端子台取付部材４の下面側に取付けられているので、端子台取付部材４によってカバーされ塵埃等の侵入を抑制することができる。
【００２５】
以上のように本実施形態によれば、端子台４１の過熱等に起因する延焼の事態を防止することができ、安全性を高めることが可能となる。また、ダウンライト本体１の設置作業が行い易く、作業の効率化を図ることができる。加えて、端子台４１への塵埃等の侵入を抑制することができる。
【００２６】
なお、本発明は、上記実施形態の構成に限定されることなく、発明の要旨を逸脱しない範囲で種々の変形が可能である。例えば、係止手段としての取付け用トーションバネを周方向に１２０度の間隔を空けて３個設けるようにしてもよく、係止手段の個数は特段限定されるものではない。また、係止手段は、バネ材を用いて構成することに限定されず、要は、操作により照明装置が設置面へ支持されるような構成を有していればよい。光源としては、ＬＥＤ、白熱電球、蛍光ランプ、高輝度放電ランプ等の適用が可能である。さらに、埋込形照明装置としては、ダウンライトの他、非常灯などにも適用できる。
【図面の簡単な説明】
【００２７】
【図１】本発明の実施形態に係る埋込形照明装置を示す側面図である。
【図２】同分解斜視図である。
【図３】同一部を断面して示す側面図である。
【図４】同上面図である。
【図５】図底面図である。
【図６】同設置方法を示す説明図である。
【符号の説明】
【００２８】
１・・・本体（ダウンライト本体）、２ｂ・・・遮蔽壁、４・・・端子台取付部材、
１０・・・光源（ＬＥＤ）、４１・・・端子台、４２・・・保持具、ＰＷ・・・電源線
【図１】
2010129227.tif 000003
【図２】
2010129227.tif 000004
【図３】
2010129227.tif 000005
【図４】
2010129227.tif 000006
【図５】
2010129227.tif 000007
【図６】
2010129227.tif 000008